【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
それぞれが時系列に沿った複数の単位映像からなる複数の映像ストリームに対して、単位フレーム期間内において、出力対象の映像ストリームが時分割的に順次切り換えられるように出力制御を行う映像処理部と、
表示部と、
前記映像ストリームごとに、前記映像処理部から出力される各単位映像を前記表示部に複数回ずつ連続して書き込むための書込タイミング制御を行うタイミング制御部と
を備え、
前記タイミング制御部は、前記単位フレーム期間内において、前記映像ストリームごとに、１回目の単位映像書込期間の直後に第１ブランキング期間が位置すると共に、２回目以降の各単位映像書込期間の直後の各ブランキング期間の少なくとも１つが、前記第１ブランキング期間よりも長い第２ブランキング期間となるように、前記書込タイミング制御を行う
映像表示装置。
【請求項２】
前記タイミング制御部は、各映像ストリームにおいて、２回目以降の単位映像の書込開始時期をより早めるように前記書込タイミング制御を行うことにより、前記第２ブランキング期間を前記第１ブランキング期間よりも長くする
請求項１に記載の映像表示装置。
【請求項３】
前記タイミング制御部は、各映像ストリームにおいて、１回目の単位映像書込期間の長さが前記２回目以降の単位映像書込期間の長さよりも短くなるように前記書込タイミング制御を行うことにより、前記第２ブランキング期間を前記第１ブランキング期間よりも長くする
請求項１または請求項２に記載の映像表示装置。
【請求項４】
前記表示部は、線順次走査による映像信号書き込みにより映像表示を行うものであり、
前記タイミング制御部は、１回目の単位映像書込期間における線順次走査書き込み周波数が、２回目以降の単位映像書込期間における線順次走査書き込み周波数よりも高くなるように前記書込タイミング制御を行うことにより、前記１回目の単位映像書込期間の長さを前記２回目以降の単位映像書込期間の長さよりも短くさせる
請求項３に記載の映像表示装置。
【請求項５】
前記表示部は、線順次走査による映像信号書き込みにより映像表示を行うものであり、
前記タイミング制御部は、１回目の単位映像書込期間における線順次走査の際の同時選択水平ライン数が２回目以降の単位映像書込期間における線順次走査の際の同時選択水平ライン数よりも多くなるように前記書込タイミング制御を行うことにより、前記１回目の単位映像書込期間の長さを前記２回目以降の単位映像書込期間の長さよりも短くさせる
請求項３に記載の映像表示装置。
【請求項６】
前記タイミング制御部は、各映像ストリームにおいて、各回の単位映像書込期間の長さが一様に短縮されるように前記書込タイミング制御を行うことにより、前記第２ブランキング期間を前記第１ブランキング期間よりも長くする
請求項１または請求項２に記載の映像表示装置。
【請求項７】
前記表示部は、線順次走査による映像信号書き込みにより映像表示を行うものであり、
前記タイミング制御部は、
１回目の単位映像書込期間における線順次走査の際の同時選択水平ライン数が２回目以降の単位映像書込期間における線順次走査の際の同時選択水平ライン数よりも多くなると共に、２回目以降の単位映像書込期間に表示画面内で走査される水平ラインの数が表示画面全体の水平ライン総数よりも少なくなるように間引き走査を行うようにして、前記書込タイミング制御を行う
請求項６に記載の映像表示装置。
【請求項８】
前記タイミング制御部は、各映像ストリームにおいて、前記第１ブランキング期間よりも長い前記第２ブランキング期間が、最終回の単位映像書込期間の直後に存在することとなるように、前記書込タイミング制御を行う
請求項１ないし請求項７のいずれか１項に記載の映像表示装置。
【請求項９】
前記表示部における前記複数の映像ストリームの切り換え表示に同期した開閉動作がなされるように、各映像ストリームに対応して用意されたシャッター眼鏡の開閉動作の制御を行うシャッター制御部を備え、
前記タイミング制御部は、映像ストリームごとに、その対応するシャッター眼鏡が前記第２ブランキング期間において開状態となるように、前記シャッター制御部に対するタイミング制御を行う
請求項１ないし請求項８のいずれか１項に記載の映像表示装置。
【請求項１０】
前記タイミング制御部は、動作環境の温度変化に応じて前記第２ブランキング期間の長さが変化するように、前記書込タイミング制御を行う
請求項９に記載の映像表示装置。
【請求項１１】
前記タイミング制御部は、動作環境が低温になるのに従って前記第２ブランキング期間の長さをより短く変化させる一方、動作環境が高温になるのに従って前記第２ブランキング期間の長さをより長く変化させる
請求項１０に記載の映像表示装置。
【請求項１２】
前記タイミング制御部は、各単位映像の内容に応じて前記第２ブランキング期間の長さが変化するように、前記書込タイミング制御を行う
請求項９ないし請求項１１のいずれか１項に記載の映像表示装置。
【請求項１３】
前記タイミング制御部は、映像ストリームごとに、複数の単位映像書込期間とそれらのそれぞれの直後に位置する複数のブランキング期間とからなる単位サブフレーム期間の長さが一定に保たれるように、前記書込タイミング制御を行う
請求項１ないし請求項１２のいずれか１項に記載の映像表示装置。
【請求項１４】
前記表示部は、線順次走査による映像信号書き込みにより映像表示を行うものであり、
前記タイミング制御部は、線順次走査書き込み周波数が、前記表示部において２次元映像表示を行っている場合と比べて３次元（立体）映像表示を行っている場合のほうがより高くなるように、前記書込タイミング制御を行う
請求項１ないし請求項１３のいずれか１項に記載の映像表示装置。
【請求項１５】
前記複数の映像ストリームが、互いに視差を有する左眼用映像ストリームおよび右眼用映像ストリームである
請求項１ないし請求項１４のいずれか１項に記載の映像表示装置。
【請求項１６】
前記表示部が、液晶素子を用いて構成された液晶表示部である
請求項１ないし請求項１５のいずれか１項に記載の映像表示装置。
【請求項１７】
それぞれが時系列に沿った複数の単位映像からなる複数の映像ストリームを、時分割的に順次切り換えて映像表示を行う映像表示装置と、
前記映像表示装置における切り換え表示に同期した開閉動作を行うシャッター眼鏡と
を備え、
前記映像表示装置は、
前記複数の映像ストリームに対して、単位フレーム期間内において、出力対象の映像ストリームが時分割的に順次切り換えられるように出力制御を行う映像処理部と、
表示部と、
前記映像ストリームごとに、前記映像処理部から出力される各単位映像を前記表示部に複数回ずつ連続して書き込むための書込タイミング制御を行うタイミング制御部と
を有し、
前記タイミング制御部は、前記単位フレーム期間内において、前記映像ストリームごとに、１回目の単位映像書込期間の直後に第１ブランキング期間が位置すると共に、２回目以降の各単位映像書込期間の直後の各ブランキング期間の少なくとも１つが、前記第１ブランキング期間よりも長い第２ブランキング期間となるように、前記書込タイミング制御を行う
映像表示システム。
【手続補正２】
【補正対象書類名】明細書
【補正対象項目名】００１３
【補正方法】変更
【補正の内容】
【００１３】
本発明の映像表示装置は、それぞれが時系列に沿った複数の単位映像からなる複数の映像ストリームに対して、単位フレーム期間内において、出力対象の映像ストリームが時分割的に順次切り換えられるように出力制御を行う映像処理部と、表示部と、映像ストリームごとに、映像処理部から出力される各単位映像を表示部に複数回ずつ連続して書き込むための書込タイミング制御を行うタイミング制御部とを備えたものである。また、このタイミング制御部は、単位フレーム期間内において、映像ストリームごとに、１回目の単位映像書込期間の直後に第１ブランキング期間が位置すると共に、２回目以降の各単位映像書込期間の直後の各ブランキング期間の少なくとも１つが、第１ブランキング期間よりも長い第２ブランキング期間となるように、書込タイミング制御を行う。ここで、「映像ストリーム」とは、時系列上に沿った一連の単位映像の並びのことを意味しており、例えば、立体映像表示を行う場合における、左眼用映像ストリームや右眼用映像ストリームなどが挙げられる。また、例えば６０Ｈｚの映像ストリームの場合、静止画が６０Ｈｚの周期で連続的に切り替わることになるが、この静止画一枚一枚が、上記「単位映像」に対応している。
【手続補正３】
【補正対象書類名】明細書
【補正対象項目名】００１５
【補正方法】変更
【補正の内容】
【００１５】
本発明の映像表示装置および映像表示システムでは、映像ストリームごとに、映像処理部から出力される各単位映像を表示部に複数回ずつ連続して書き込むための書込タイミング制御が行われる。このとき、単位フレーム期間内において、映像ストリームごとに、１回目の単位映像書込期間の直後に第１ブランキング期間が位置すると共に、２回目以降の各単位映像書込期間の直後の各ブランキング期間の少なくとも１つが、第１ブランキング期間よりも長い第２ブランキング期間となるように、書込タイミング制御がなされる。これにより、複数の映像ストリームの切り換え表示に同期した開閉動作を行うシャッター眼鏡を用いて、２回目以降のブランキング期間内において表示映像の観察を行う際に、液晶の応答特性が補われると共に、各回の単位映像を均等の開始位置および長さで出力する場合と比べ、このシャッター眼鏡における開期間（例えば、上記第２ブランキング期間に対応）が、より長く設定され得る。
【手続補正４】
【補正対象書類名】明細書
【補正対象項目名】００１６
【補正方法】変更
【補正の内容】
【００１６】
本発明の映像表示装置および映像表示システムによれば、単位フレーム期間内において、映像ストリームごとに、１回目の単位映像書込期間の直後に第１ブランキング期間が位置すると共に、２回目以降の各単位映像書込期間の直後の各ブランキング期間の少なくとも１つが、第１ブランキング期間よりも長い第２ブランキング期間となるように、書込タイミング制御を行うようにしたので、シャッター眼鏡を用いて２回目以降のブランキング期間内において表示映像の観察を行う際に、液晶の応答特性を補いつつ、シャッター眼鏡における開期間をより長く設定することができる。よって、そのような表示映像の観察を行う際に、表示輝度の低下を抑えつつクロストークを抑制することが可能となる。
【手続補正５】
【補正対象書類名】明細書
【補正対象項目名】００３２
【補正方法】変更
【補正の内容】
【００３２】
シャッター眼鏡６は、液晶表示装置１の観察者（図１には図示せず）が用いることにより立体視を可能とするものである。このシャッター眼鏡６は、左眼用シャッター６Ｌおよび右眼用シャッター６Ｒを有しており、これらの左眼用シャッター６Ｌおよび右眼用シャッター６Ｒにはそれぞれ、例えば液晶シャッターなどの遮光シャッター（図示せず）が設けられている。これらの遮光シャッターにおける遮光機能の有効状態（オープン（開）状態）および無効状態（クローズ（閉）状態）は、シャッター制御部４２から供給される制御信号ＣＴＬにより制御されるようになっている。具体的には、詳細は後述するが、シャッター制御部４２は、左眼用映像および右眼用映像の切り換え表示に同期して、左眼用シャッター６Ｌおよび右眼用シャッター６Ｒの開状態および閉状態が交互に切り替わるように、シャッター眼鏡６を制御している。
【手続補正６】
【補正対象書類名】明細書
【補正対象項目名】００３８
【補正方法】変更
【補正の内容】
【００３８】
この際、図３（Ａ）に示したように、左眼用の映像表示のときには、制御信号ＣＴＬにより、観察者７が用いるシャッター眼鏡６において、右眼用シャッター６Ｒにおける遮光機能が有効状態となると共に、左眼用シャッター６Ｌにおける遮光機能が無効状態となる。すなわち、左眼用シャッター６Ｌでは、左眼用の映像表示による表示光ＬＬの透過に対して開（オープン）状態となり、右眼用シャッター６Ｒでは、この表示光ＬＬの透過に対して閉（クローズ）状態となる。一方、図３（Ｂ）に示したように、右眼用の映像表示のときには、制御信号ＣＴＬにより、左眼用シャッター６Ｌにおける遮光機能が有効状態となると共に、右眼用シャッター６Ｒにおける遮光機能が無効状態となる。すなわち、右眼用シャッター６Ｒでは、右眼用の映像表示による表示光ＬＲの透過に対して開状態となり、左眼用シャッター６Ｌでは、この表示光ＬＲの透過に対して閉状態となる。そして、このような状態が時分割で交互に繰り返されるため、液晶表示装置１の表示画面を観察者７がシャッター眼鏡６をかけて観察することにより、立体映像の観察が可能となる。すなわち、観察者７は、左眼用映像を左眼７Ｌ、右眼用映像を右眼７Ｒで見ることができ、これらの左眼用映像と右眼用映像との間には視差があるため、観察者７には奥行きのある立体的な映像として認識される。
【手続補正７】
【補正対象書類名】明細書
【補正対象項目名】００４０
【補正方法】変更
【補正の内容】
【００４０】
（比較例１）
図４は、上記した時分割駆動方式を用いた、比較例１に係る従来の立体映像表示動作をタイミング図で表したものであり、（Ａ）は映像の書き込み・表示動作を、（Ｂ）はシャッター眼鏡６（左眼用シャッター６Ｌ，右眼用シャッター６Ｒ）の状態を示している。なお、図４（Ａ）において、実線の矢印は右眼用映像信号の書き込みタイミング（Ｒ書き込みタイミング）を、破線の矢印は左眼用映像信号の書き込みタイミング（Ｌ書き込みタイミング）を示し、以下同様である。また、同図において、破線で囲んで示した「Ｒ０」，「Ｌ１」等の期間は、右眼用映像Ｒ０，左眼用映像Ｌ１等において所望の表示輝度に到達している期間を示し、以下同様である。一方、図４（Ｂ）において、黒色で示した期間は、左眼用シャッター６Ｌ，右眼用シャッター６Ｒにおけるシャッター閉（クローズ）期間を、白色で示した期間は、それらにおけるシャッター開（オープン）期間ＴonＬ，ＴonＲを示し、以下同様である。
【手続補正８】
【補正対象書類名】明細書
【補正対象項目名】００４１
【補正方法】変更
【補正の内容】
【００４１】
この比較例１の立体映像表示動作では、図４（Ａ）に示したように、１フレーム期間のうちの各Ｌサブフレーム期間において、左眼用映像信号が１回ずつ液晶表示パネル２に書き込まれ、これにより左眼用映像Ｌ１，Ｌ２等が表示される。また、同様に各Ｒサブフレーム期間において、右眼用映像信号が１回ずつ液晶表示パネル２に書き込まれ、これにより右眼用映像Ｒ０，Ｒ１等が表示される。このとき、液晶表示パネル２において液晶の応答に時間を要するため、各書き込みタイミングから所望の表示輝度に到達するまでに時間を要している。すなわち、Ｌ書き込みタイミングから所望の左眼用映像の輝度階調が表示される（所望の左眼用映像の輝度階調に達する）まで、およびＲ書き込みタイミングから所望の右眼用映像の輝度階調が表示される（所望の右眼用映像の輝度階調に達する）までに、時間を要する。一方、図４（Ｂ）に示したように、シャッター眼鏡６では、例えばＬ書き込みタイミングおよびＲ書き込みタイミングの間に、左眼用シャッター６Ｌ，右眼用シャッター６Ｒにおけるシャッター開期間ＴonＬ，ＴonＲが設定されている。
【手続補正９】
【補正対象書類名】明細書
【補正対象項目名】００４４
【補正方法】変更
【補正の内容】
【００４４】
この連続書き込み方式による立体映像表示動作では、図５（Ａ）に示したように、１フレーム期間のうちの各Ｌサブフレーム期間において、左眼用映像信号が連続して２回ずつ液晶表示パネル２に書き込まれ、これにより左眼用映像Ｌ１，Ｌ２等が表示される。また、同様に各Ｒサブフレーム期間において、右眼用映像信号が連続して２回ずつ液晶表示パネル２に書き込まれ、これにより右眼用映像Ｒ０，Ｒ１等が表示される。すなわち、１フレーム期間内において、例えば、左眼用映像Ｌ１→左眼用映像Ｌ１→右眼用映像Ｒ１→右眼用映像Ｒ１の順に表示される。そして、各サブフレーム期間（Ｌサブフレーム期間，Ｒサブフレーム期間）において、２回目の映像信号（左眼用映像信号または右眼用映像信号）の書き込みが完了して、画面全体において液晶が所望の階調輝度を保持している期間に、シャッター眼鏡６が開状態となる。すなわち、図５（Ｂ）に示したように、２回目のＬ書き込みタイミングまたはＲ書き込みタイミングと、次の他方の映像用の１回目の書き込みタイミングとの間（２回目のブランキング期間）に、シャッター開期間ＴonＬ，ＴonＲが設定されている。また、表示輝度を確保するため、これらのシャッター開期間ＴonＬ，ＴonＲを、２回目のブランキング期間よりも長く設定する場合もある。ここで、１回目のブランキング期間とは、図５（Ａ）中の符号Ｐ２０１Ｌ，Ｐ２０１Ｒで示した期間（ブランキング期間Ｔｂ１）に対応し、２回目のブランキング期間とは、同図中の符号Ｐ２０２Ｌ，Ｐ２０２Ｒで示した期間（ブランキング期間Ｔｂ２）に対応する。なお、この比較例２では、これら１回目および２回目のブランキング期間Ｔｂ１，Ｔｂ２がそれぞれ、同一の長さとなっている。
【手続補正１０】
【補正対象書類名】明細書
【補正対象項目名】００４７
【補正方法】変更
【補正の内容】
【００４７】
ここで、図６（Ａ）〜（Ｃ）は、（Ａ）画面上部、（Ｂ）画面中央部および（Ｃ）画面下部における輝度比の時間変化と、シャッター眼鏡における左眼用レンズの開期間ＴonＬ，閉期間ＴoffＬ（斜線部分）との関係について表したものである。また、画面上部、画面中央部および画面下部のそれぞれにおいて、左眼用映像として０階調、右眼用映像として２５５階調に対応する映像電圧をそれぞれ書き込む場合を例に挙げる。また、シャッター開期間ＴonＬのタイミングが、例えば画面中央部を基準として（すなわち、図６（Ｂ）に示したように画面中央部において目標輝度を表示し得るように）、固定値として予め設定されているものとする。この場合、画面中央部（図６（Ｂ））では、最適なシャッター開期間ＴonＬのタイミングやdutyに設定されていることから、クロストークが低減される。ところが、この画面中央部よりも書き込みタイミングの早い（走査開始位置に近い）画面上部（図６（Ａ））や、書き込みタイミングの遅い（走査終了位置に近い）画面下部（図６（Ｃ））では、クロストークが生じている（図中の符号Ｐ３００Ｕ，Ｐ３００Ｄ参照）。また、上記したように、２回目のブランキング期間Ｔｂ２よりも長くシャッター開期間ＴonＬ，ＴonＲを設定することでも、これらのクロストークが発生する。なお、２回目のブランキング期間Ｔｂ２とシャッター開期間ＴonＬ，ＴonＲとを等しい長さに設定した場合でも、液晶応答が遅いことにより、高階調および低階調ではクロストークが発生する。このようなクロストークが発生すると、具体的には、画面上部では、現在表示中の左眼用映像に、次に表示対象となる右眼用映像一部が漏れ込み、画面下部では、現在表示中の左眼用映像に、一つ前に表示していた右眼用映像の一部が漏れ込んでしまうことになる。
【手続補正１１】
【補正対象書類名】明細書
【補正対象項目名】００５０
【補正方法】変更
【補正の内容】
【００５０】
図７は、本実施の形態の連続書き込み方式による立体映像表示動作をタイミング図で表したものであり、図４，図５と同様に、（Ａ）は映像の書き込み・表示動作を、（Ｂ）はシャッター眼鏡６（左眼用シャッター６Ｌ，右眼用シャッター６Ｒ）の状態を示している。
【手続補正１２】
【補正対象書類名】明細書
【補正対象項目名】００５９
【補正方法】変更
【補正の内容】
【００５９】
（変形例１）
図８は、変形例１に係る立体映像表示動作をタイミング図で表したものであり、図４等と同様に、（Ａ）は映像の書き込み・表示動作を、（Ｂ）はシャッター眼鏡６（左眼用シャッター６Ｌ，右眼用シャッター６Ｒ）の状態を示している。
【手続補正１３】
【補正対象書類名】明細書
【補正対象項目名】００６７
【補正方法】変更
【補正の内容】
【００６７】
（変形例２）
図１０は、変形例２に係る立体映像表示動作をタイミング図で表したものであり、図４等と同様に、（Ａ）は映像の書き込み・表示動作を、（Ｂ）はシャッター眼鏡６（左眼用シャッター６Ｌ，右眼用シャッター６Ｒ）の状態を示している。
【手続補正１４】
【補正対象書類名】明細書
【補正対象項目名】００６８
【補正方法】変更
【補正の内容】
【００６８】
本変形例では、タイミング制御部４３は、右眼用映像信号ＤＲおよび左眼用映像信号ＤＬのそれぞれについて、３回ずつ書込みを行うと共に、各回の単位映像の出力期間の長さが、各回の単位映像を均等の開始位置および長さで書き込む場合と比べて同一の比率でいずれもより短くなるように、タイミング制御を行っている。すなわち、ここでは、図１０（Ａ）中の矢印Ｐ３Ｌ，Ｐ３Ｒで示したように、１〜３回目の各回の単位映像の出力期間の長さが、同一の比率でいずれもより短くなるようにしている。
【手続補正１５】
【補正対象書類名】明細書
【補正対象項目名】００７０
【補正方法】変更
【補正の内容】
【００７０】
これにより、上記実施の形態および変形例１と同様に、１回目および２回目のブランキング期間Ｔｂ１，Ｔｂ２のDutyよりも３回目のブランキング期間Ｔｂ３のDutyのほうが、より長くなる（図１０（Ａ）中の符号Ｐ３３Ｌ，Ｐ３３Ｒ参照）。また、上記比較例１とは異なり、出力（書き込み期間）期間の長さが１〜３回目で互いに一致するため、例えばオーバードライブ処理を行う際の調整が比較的容易になる。
【手続補正１６】
【補正対象書類名】明細書
【補正対象項目名】００８０
【補正方法】変更
【補正の内容】
【００８０】
本変形例のマルチビューシステムでは、１人目の観察者に対応する第１の映像信号に基づく第１の映像と、２人目の観察者に対応する第２の映像信号に基づく第２の映像とが、時分割で交互に表示される。すなわち、これまでは、シャッター眼鏡６における左眼用シャッター６Ｌおよび右眼用シャッター６Ｒごとにそれぞれ対応する左眼用映像および右眼用映像が表示されるのに対し、本変形例では、観察者（ユーザ）ごとにそれぞれ対応する複数の映像が表示される。
【手続補正１７】
【補正対象書類名】明細書
【補正対象項目名】００８１
【補正方法】変更
【補正の内容】
【００８１】
具体的には、図１４（Ａ）に示したように、第１の映像Ｖ１の表示期間においては、制御信号ＣＴＬ１により、観察者７１が用いるシャッター眼鏡６１において、右眼用シャッター６Ｒおよび左眼用シャッター６Ｌの双方が開状態となっている。また、制御信号ＣＴＬ２により、観察者７２が用いるシャッター眼鏡６２において、右眼用シャッター６Ｒおよび左眼用シャッター６Ｌの双方が閉状態となっている。すなわち、観察者７１のシャッター眼鏡６１では、第１の映像Ｖ１に基づく表示光ＬＶ１を透過させ、観察者７２のシャッター眼鏡６２では、この表示光ＬＶ１を遮断させる。
【手続補正１８】
【補正対象書類名】明細書
【補正対象項目名】００８２
【補正方法】変更
【補正の内容】
【００８２】
一方、図１４（Ｂ）に示したように、第２の映像Ｖ２の表示期間においては、制御信号ＣＴＬ２により、観察者７２が用いるシャッター眼鏡６２において、右眼用シャッター６Ｒおよび左眼用シャッター６Ｌの双方が開状態となっている。また、制御信号ＣＴＬ１により、観察者７１が用いるシャッター眼鏡６１において、右眼用シャッター６Ｒおよび左眼用シャッター６Ｌの双方が閉状態となっている。すなわち、観察者７２のシャッター眼鏡６２では、第２の映像Ｖ２に基づく表示光ＬＶ２を透過させ、観察者７１のシャッター眼鏡６１では、この表示光ＬＶ２を遮断させる。
【手続補正１９】
【補正対象書類名】明細書
【補正対象項目名】００９１
【補正方法】変更
【補正の内容】
【００９１】
１，１Ａ…液晶表示装置、２…液晶表示パネル、２０…画素、２１…ＴＦＴ素子、２２…液晶素子、２３…補助容量素子、３…バックライト、４１…映像信号処理部、４２…シャッター制御部、４３…タイミング制御部、４４…温度検出部、５０…バックライト駆動部、５１…データドライバ、５２…ゲートドライバ、６，６１，６２…シャッター眼鏡、６Ｌ…左眼用シャッター、６Ｒ…右眼用シャッター、７，７１，７２…観察者（ユーザ）、７Ｌ…左眼、７Ｒ…右眼、Ｄin（ＤＬ，ＤＲ），Ｄ１…映像信号、ＣＴＬ，ＣＴＬ１，ＣＴＬ２…制御信号、Ｄ…データ線、Ｇ…ゲート線、Ｃｓ…補助容量線、Ｌ，Ｌ１，Ｌ２…左眼用映像、Ｒ，Ｒ０，Ｒ１…右眼用映像、Ｖ１，Ｖ２…映像、ＴonＬ，ＴonＲ…シャッター開（オープン）期間、ＴoffＬ，ＴoffＲ…シャッター閉（クローズ）期間、Ｔｂ１〜Ｔｂ３…ブランキング期間、ＬＬ，ＬＲ，ＬＶ１，ＬＶ２…表示光、Ｔ１１，Ｔ２１，Ｔ３１…１回目書き込み期間、Ｔ１２，Ｔ２２，Ｔ３２…２回目書き込み期間、Ｔ３３…３回目書き込み期間。